(57)【要約】【課題】低温暖房器（例えば、床暖房ユニット）５０へも高温流体を供給することのできる給湯式暖房装置を提供する。【解決手段】比較的高温の流体を必要とする高温暖房器（例えば、浴室暖房乾燥器）６０へは供給流路４３から高温流体を供給すると共に、供給流路４３から高温流体を分岐する高温流体供給路４３ａと、戻り流路４６から戻り流体を分岐する戻り流体供給路４６ａと、両供給路４３ａ、４６ａからの流体の混合割合を調節する混合弁４７と、混合弁４７で混合された流体を供給する低温流体供給路４８ａとを設け、比較的低温の流体を必要とする低温暖房器５０へは低温流体供給路４８ａから低温流体を供給する。これにより、低温暖房器５０において立ち上がり等で高温流体が必要な時は、混合弁４７を高温流体供給路４３ａ側に全開とすることで、低温暖房器５０へも高温流体を供給することができる。【選択図】        図１
2004198055.tif 000002
【特許請求の範囲】
【請求項１】
高温の湯を１次側に流通させて２次側の流体を加熱する熱交換手段（３１）を有し、高温の湯を前記熱交換手段（３１）に供給する１次側温水回路（３０）と、
前記熱交換手段（３１）で加熱された流体を暖房器（５０、６０）に供給する供給流路（４３）と、前記暖房器（５０、６０）から戻る流体を前記熱交換手段（３１）へ供給する戻り流路（４６）とからなる２次側流体回路（４０）と、
前記１次側温水回路（３０）に供給する高温の湯および前記２次側流体回路（４０）に循環させる流体を制御する温水制御手段（２２）とを備える給湯式暖房装置において、
比較的高温の流体を必要とする高温暖房手段（６０）へは前記供給流路（４３）から高温流体を供給すると共に、
前記供給流路（４３）から高温流体を分岐する高温流体供給路（４３ａ）と、
前記戻り流路（４６）から戻り流体を分岐する戻り流体供給路（４６ａ）と、
両供給路（４３ａ、４６ａ）からの流体の混合割合を調節する混合弁（４７）と、
前記混合弁（４７）で混合された流体を供給する低温流体供給路（４８ａ）とを設け、
比較的低温の流体を必要とする低温暖房手段（５０）へは前記低温流体供給路（４８ａ）から低温流体を供給することを特徴とする給湯式暖房装置。
【請求項２】
高温の湯を１次側に流通させて２次側の流体を加熱する熱交換手段（３１）を有し、高温の湯を前記熱交換手段（３１）に供給する１次側温水回路（３０）と、
前記熱交換手段（３１）で加熱された流体を暖房器（５０、６０）に供給する供給流路（４３）と、前記暖房器（５０、６０）から戻る流体を前記熱交換手段（３１）へ供給する戻り流路（４６）とからなる２次側流体回路（４０）と、
前記１次側温水回路（３０）に供給する高温の湯および前記２次側流体回路（４０）に循環させる流体を制御する温水制御手段（２２）とを備える給湯式暖房装置において、
比較的高温の流体を必要とする高温暖房手段（６０）へは前記供給流路（４３）から高温流体を供給すると共に、
前記供給流路（４３）から高温流体を分岐する高温側分岐弁（４７ａ）と、
前記戻り流路（４６）から戻り流体を分岐する戻り側分岐弁（４７ｂ）と、
両分岐弁（４７ａ、４７ｂ）で分岐された流体を混合して供給する低温流体供給路（４８ａ）とを設け、
比較的低温の流体を必要とする低温暖房手段（５０）へは前記低温流体供給路（４８ａ）から低温流体を供給することを特徴とする給湯式暖房装置。
【請求項３】
前記供給流路（４３）を流通する流体の温度を検知する高温側温度検知手段（４１）と、前記戻り流路（４６）を流通する流体の温度を検知する戻り側温度検知手段（４５）とを備え、
前記温水制御手段（２２）は、両温度検知手段（４１、４５）で検知される温度から前記混合弁（４７）もしくは前記両分岐弁（４７ａ、４７ｂ）を調節し、前記低温流体供給路（４８ａ）に供給する低温流体の温度を可変することを特徴とする請求項１または請求項２に記載の給湯式暖房装置。
【発明の詳細な説明】
【０００１】
【発明の属する技術分野】
本発明は、高温の湯で２次側流体を加熱すると共に、その加熱された流体を暖房器へ供給して室内暖房等を行なう給湯式暖房装置に関するものであり、特に、暖房器に比較的高温の流体を必要とする高温暖房装置と、比較的低温の流体を必要とする低温暖房装置とを用いる場合の２温度出湯に関する。
【０００２】
【従来の技術】
図３は、従来の給湯式暖房装置部分の構成を示す模式図である。従来、ガスや石油を燃料とした給湯装置では、一般的に図３に示すような回路で2温度出湯が行われている（例えば、特許文献１）。これは、熱交換器３１で加熱された流体を、比較的高温の流体を必要とする高温暖房器（例えば、浴室暖房乾燥器）６０へは、供給流路４３から高温流体を供給している。
【０００３】
これと共に、比較的低温の流体を必要とする低温暖房器（例えば、床暖房器）５０へは、高温暖房器６０を通過して少し冷め、戻り流路４６から熱交換器３１へ戻る途中の低温流体を、低温流体供給路４８ａで分岐して供給している。ちなみに、３０は１次側温水回路であり、４４はバイパス流路である。
【０００４】
【特許文献１】
特開２００２−２２８１６７号公報（図１３）
【０００５】
【発明が解決しようとする課題】
しかしながら、上記従来の給湯式暖房装置を、例えば貯湯式給湯装置に接続して用いると、例えば低温暖房器である床暖房器へは立ち上り時に必要な高温流体を供給することができないという問題が生じる。これは、回路構成上低温暖房器へは戻り流体を供給しているため、ガスや石油を燃料とした燃焼式給湯装置のように給湯温度自体を高くできれば可能だが、貯湯式給湯装置のように貯湯温水を利用する場合は給湯温度が決まってしまうためである。
【０００６】
そこで、本発明は上記従来の問題に鑑みて成されたものであり、その目的は、低温暖房器へも高温流体を供給することのできる給湯式暖房装置を提供することにある。
【０００７】
【課題を解決するための手段】
上記目的を達成するために、請求項１ないし請求項３に記載の技術的手段を採用する。すなわち、請求項１に記載の発明では、高温の湯を１次側に流通させて２次側の流体を加熱する熱交換手段（３１）を有し、高温の湯を熱交換手段（３１）に供給する１次側温水回路（３０）と、熱交換手段（３１）で加熱された流体を暖房器（５０、６０）に供給する供給流路（４３）と、暖房器（５０、６０）から戻る流体を熱交換手段（３１）へ供給する戻り流路（４６）とからなる２次側流体回路（４０）と、１次側温水回路（３０）に供給する高温の湯および２次側流体回路（４０）に循環させる流体を制御する温水制御手段（２２）とを備える給湯式暖房装置において、
比較的高温の流体を必要とする高温暖房手段（６０）へは供給流路（４３）から高温流体を供給すると共に、供給流路（４３）から高温流体を分岐する高温流体供給路（４３ａ）と、戻り流路（４６）から戻り流体を分岐する戻り流体供給路（４６ａ）と、両供給路（４３ａ、４６ａ）からの流体の混合割合を調節する混合弁（４７）と、混合弁（４７）で混合された流体を供給する低温流体供給路（４８ａ）とを設け、比較的低温の流体を必要とする低温暖房手段（５０）へは低温流体供給路（４８ａ）から低温流体を供給することを特徴としている。
【０００８】
これにより、低温暖房手段（５０）において立ち上がり等で高温流体が必要な時は、混合弁（４７）を高温流体供給路（４３ａ）側に全開とすることで、低温暖房手段（５０）へも高温流体を供給することができる。
【０００９】
請求項２に記載の発明では、比較的高温の流体を必要とする高温暖房手段（６０）へは供給流路（４３）から高温流体を供給すると共に、供給流路（４３）から高温流体を分岐する高温側分岐弁（４７ａ）と、戻り流路（４６）から戻り流体を分岐する戻り側分岐弁（４７ｂ）と、両分岐弁（４７ａ、４７ｂ）で分岐された流体を混合して供給する低温流体供給路（４８ａ）とを設け、比較的低温の流体を必要とする低温暖房手段（５０）へは低温流体供給路（４８ａ）から低温流体を供給することを特徴としている。
【００１０】
これにより、低温暖房手段（５０）において立ち上がり等で高温流体が必要な時は、高温側分岐弁（４７ａ）を全開として戻り側分岐弁（４７ｂ）を前閉とすることで、低温暖房手段（５０）へも高温流体を供給することができる。
【００１１】
請求項３に記載の発明では、供給流路（４３）を流通する流体の温度を検知する高温側温度検知手段（４１）と、戻り流路（４６）を流通する流体の温度を検知する戻り側温度検知手段（４５）とを備え、温水制御手段（２２）は、両温度検知手段（４１、４５）で検知される温度から混合弁（４７）もしくは両分岐弁（４７ａ、４７ｂ）を調節し、低温流体供給路（４８ａ）に供給する低温流体の温度を可変することを特徴とする。
【００１２】
これにより、供給流路（４３）での高温以下の温度の流体が必要な時は、高温流体供給路（４３ａ）もしくは高温側分岐弁（４７ａ）からの高温流体と、戻り流体供給路（４６ａ）もしくは戻り側分岐弁（４７ｂ）からの戻り流体とを混合し、適当な温度として低温暖房手段（５０）に供給することができる。尚、上記各手段の括弧内の符号は、後述する実施形態の具体的手段との対応関係を示すものである。
【００１３】
【発明の実施の形態】
（第１実施形態）
以下、本発明を適用した第１実施形態の多機能給湯装置を、図１に基づいて説明する。図１は、多機能給湯装置の概略構成を示す模式図である。本実施形態の多機能給湯装置は、図１に示すように、貯湯式給湯装置１０、給湯式暖房装置２０、および暖房器である床暖房ユニット５０と浴室暖房乾燥器６０等から構成されている。
【００１４】
貯湯式給湯装置１０は、ヒートポンプサイクルからなる熱源装置であるヒートポンプ式給湯装置１１、このヒートポンプ式給湯装置１１により加熱された給湯用の湯を貯える貯湯槽１２、貯えた湯を給湯対象個所へ導くための給湯配管１３、およびこれらを制御する給湯制御装置1００等から構成されている。
【００１５】
ヒートポンプ式給湯装置１１は、当給湯装置１１の前後に、貯湯槽１２内の最下部の水を吸い込むための吸入管１４ｂ、加熱した高温の湯を貯湯槽１２内の最上部に吐出するための吐出管１４ａ、および貯湯槽１２からなる循環回路の一部である。冷媒に二酸化炭素（ＣＯ２）を用い、図示しない圧縮機、熱交換器などの冷凍サイクル機能部品より構成され、貯湯槽１２内最下部から吸入した水を高温のＣＯ２冷媒との熱交換により加熱して貯湯槽１２内最上部に戻すことにより貯湯槽１２内の水を沸き上げることができるようになっている。
【００１６】
尚、冷媒にＣＯ２を採用すると、超臨界域を用いることで図示しない圧縮機からの冷媒吐出温度を高くすることができる。従って、フロン冷媒などを採用した場合よりも高温の湯（例えば、８０〜９０℃程度）を効率よく沸き上げることができる。
【００１７】
また、ヒートポンプ式給湯装置１１は、主に電気料金の安い深夜時間帯の深夜電力の交流電源を用いて貯湯槽１２内の水を沸き上げる蓄熱運転を行なっているが、昼間時間帯においても、貯湯槽１２内の貯えた湯が低下してくると、沸き上げ運転を行なうように制御されている。尚、ヒートポンプ式給湯装置１１は、給湯制御装置１００からの制御信号により作動すると共に、作動状態を給湯制御装置１００に出力するように接続されている。
【００１８】
次に、貯湯槽１２は、耐食性に優れた金属製（例えば、ステンレス製）の容器であり、外周部に図示しない断熱材が配置されており、高温の湯を長時間に渡って保温することができるようになっている。貯湯槽１２は縦長形状であり、その底面には導入口１２ｂが設けられ、この導入口１２ｂには貯湯槽１２内の下部に水道水を導入する給水経路である給水配管１５が接続されている。
【００１９】
給水配管１５には、給水配管１５内を流れる水道水の水温を検出する図示しない給水サーミスタが設けられ、検出された温度情報を給湯制御装置１００に出力するようになっている。また、給水配管１５には、導入される水道水の水圧が所定圧となるように調節する図示しない減圧弁が設けられている。
【００２０】
さらに、給水配管１５の下流端は、導入口１２ｂの他に、後述する混合弁１６の一方の入口側にも繋がれており、貯湯槽１２と混合弁１６に水道水を導入するように構成されている。一方、貯湯槽１２の最上部には導出口１２ａが設けられ、この導出口１２ａには貯湯槽１２内の湯を導出するための給湯経路である給湯配管１３が接続されている。
【００２１】
また、給湯配管１３には、使用者が設定した設定温度に温度調節する混合弁１６が設けられている。この混合弁１６は、給湯配管１３の下流端に設けられた給湯水栓（図示せず）が開弁したときに、開口面積比を調節することにより、導出口１２ａから導出された高温の湯と、給水配管１５から導入された水道水との混合比を調節できる温度調節弁である。
【００２２】
また、この混合弁１６は、サーボモータなどの駆動源により弁体を駆動して開度を調節する電動弁であり、給湯制御装置１００からの制御信号により作動すると共に、作動状態を給湯制御装置１００に出力するようになっている。また、混合弁１６の下流には出湯温度を検出する図示しない給湯サーミスタ、および給湯検出手段である図示しない流量カウンタが設けられ、検出された温度情報および流量情報を給湯制御装置１００に出力するようになっている。
【００２３】
尚、給湯配管１３の下流端は台所・洗面所・風呂等に配置された図示しない給湯水栓に通じており、給湯水栓を開弁した時に、設定温度に温度調節された湯が出湯されるものである。また、貯湯槽１２の外壁面には図示しない複数の水位サーミスタが縦方向（貯湯槽１２の高さ方向）にほぼ等間隔に配設され、貯湯槽１２内に満たされた水の各水位レベルでの温度情報を給湯制御装置１００に出力するようになっている。
【００２４】
従って、給湯制御装置１００は、水位サーミスタからの温度情報に基づいて、貯湯槽１２内上方の沸き上げた湯と、貯湯槽１２内下方の沸き上げられる前の水との境界位置を検出できるようになっている。尚、水位サーミスタの一つは、貯湯槽１２内の最上部外壁面に設けられており、導出口１２ａや後述する１次側温水回路３０に吸入される湯の温度である貯湯槽１２内最上部の湯温を検出する出湯サーミスタの機能も有している。
【００２５】
給湯制御装置１００は、ヒートポンプ式給湯装置１１および給水配管１５・貯湯槽１２・給湯配管１３に設けられた各サーミスタからの温度情報、流量カウンタからの流量情報、後述する給湯式暖房装置２０の運転信号、および操作パネル１０１からの操作信号に基づいて、ヒートポンプ式給湯装置１１および混合弁１６を制御するように構成されている。尚、操作パネル１０１は、浴室内や台所等湯を使用する場所の近傍に設置され、操作パネル１０１以外は屋外などの適所に配置されている。
【００２６】
次に、本発明の要部に係わる給湯式暖房装置２０の構成について説明する。１次側温水回路３０は、貯湯槽１２内に貯えられた温水を利用して、後述する暖房器としての床暖房ユニット５０および浴室暖房乾燥器６０に暖房のための流体を供給する循環回路である。
【００２７】
１次側温水回路３０は、熱交換手段である暖房用熱交換器３１と、この暖房用熱交換器３１の一次側に導出口１２ａから貯湯槽１２内の湯を流通させて貯湯槽１２の下方に戻すように配設された循環水通路３３と、この循環水通路３３に設けられた第１送水手段である第１循環ポンプ３２等により構成されている。
【００２８】
暖房用熱交換器３１は、対向流型の水―水熱交換器であり、循環水通路３３内に流れる貯湯槽１２内の高温の湯と、後述する２次側流体回路４０を循環する２次側流体とを熱交換するようになっている。また、第１循環ポンプ３２は、循環水通路３３内に貯湯槽１２の湯を循環するための送水ポンプであり、図示しない電動部がＤＣブラシレスモータにて形成され、回転数が複数段階に切り換え可能なポンプで、後述する温水制御手段である温水制御装置２２によりフィードバック制御（ＰＩＤ制御）により回転数が可変されるように制御される。
【００２９】
また、水温検出手段である水温サーミスタ３４は、暖房用熱交換器３１の下流側に設けられ、熱交換後の貯湯槽１２の下方に戻る水温を検出するセンサであって、検出された温度情報を温水制御装置２２に出力するようになっている。
【００３０】
２次側流体回路４０は、暖房用熱交換器３１から受熱した２次側流体の熱量を、低温暖房器である床暖房ユニット５０等および高温暖房器である浴室暖房乾燥器６０等に流通させる流体回路であって、上述した暖房用熱交換器３１と、この暖房用熱交換器３１で熱交換された２次側流体を暖房器５０・６０に供給する供給水路４３と、暖房器５０・６０からの戻り水を暖房用熱交換器３１に戻す戻り水路４６と、この戻り水路４６内に設けられた第２送水手段である第２循環ポンプ４２等により構成されている。
【００３１】
尚、第２循環ポンプ４２は、２次側流体を暖房用熱交換器３１から暖房器５０・６０に送水するための送水ポンプであって温水制御装置２２により制御される。４４は、暖房器５０・６０を迂回するバイパス路であり、床暖房ユニット５０および浴室暖房乾燥器６０に設けられた熱動弁５３・６３が閉弁したときに流通するようになっている。
【００３２】
暖房用熱交換器３１の入口近傍には、戻り側水温検出手段として水温サーミスタ４５が配設され、暖房用熱交換器３１に流入する２次側流体の温度情報を温水制御装置２２に出力するようになっている。また、暖房用熱交換器３１の出口近傍には、高温側水温検出手段として水温サーミスタ４１が配設され、暖房用熱交換器３１から流出する２次側流体の温度情報を温水制御装置２２に出力するようになっている。
【００３３】
また、本発明の要部構成として、供給水路４３から分岐させた高温水供給路４３ａと、戻り水路４６から分岐させた戻り水供給路４６ａと、それらから供給される流体の混合割合を調節する混合弁４７と、混合された流体を低温暖房器である床暖房ユニット５０に供給する低温水供給路４８ａとを設けている。４８は、低温水供給路４８ａの水温を検出する水温サーミスタであり、検出された温度情報を温水制御装置２２に出力するようになっている。
【００３４】
そして温水制御装置２２は、暖房器５０の必要水温に応じて水温サーミスタ４１で検出される供給水路４３の水温と、水温サーミスタ４５で検出される戻り水路４６の水温とを勘案し、混合弁４７を調節して混合割合を調節し、低温水供給路４８ａから供給する水温を調節している。
【００３５】
次に、低温暖房器の例として、床暖房ユニット５０について説明する。床暖房ユニット５０は、床暖パネル５１内の配管５１ａに２次側流体を流通させて床を暖める暖房器であって、床暖パネル５１、床暖パネル５１に設けられ暖房温度を検出する暖房温度検出手段である床暖温度センサ５２、配管５１ａに流通する２次側流体の流通を開閉する温度調節手段としての熱動弁５３および温度制御手段である床暖制御装置２３等より構成されている。
【００３６】
温度調節手段である熱動弁５３は、床暖パネル５１の暖房出力を調節する開閉弁であって、使用者が設定した設定温度と、暖房温度検出手段である床暖温度センサ５２により検出された暖房温度との温度情報に基づいて床暖制御装置２３からの閉閉信号により制御される。
【００３７】
また、温度制御手段である床暖制御装置２３は、床暖操作盤２４からの操作信号と床暖温度センサ５２からの温度情報を入力して熱動弁５３を開閉制御する制御プログラムを有すると共に、床暖操作盤２４からの操作信号のうち運転信号と、熱動弁５３を開閉制御する開閉信号とが温水制御装置２２に出力するようになっている。尚、床暖房ユニット５０は、例えば、洗面室や更衣室の床に設置されて暖房の用途に供されるものである。
【００３８】
次に、高温暖房器の例として、浴室暖房乾燥器６０について説明する。浴室暖房乾燥器６０は、２次側流体回路４０の供給水路４３に配設して、浴室内や更衣室等の暖房や浴室内の乾燥を行なう暖房器である。浴室暖房乾燥器６０は浴室内や更衣室等に温風を吹き出して暖房（乾燥）を行なうものであって、放熱器６１ａ、送風機６１ｂ、暖房温度を検出する暖房温度検出手段としての室温センサ６２、放熱器６１ａの暖房出力を調節する温度調節手段としての熱動弁６３、および温度制御手段である浴室暖房制御装置２５から構成されている。
【００３９】
熱動弁６３は、具体的には開閉弁であり、使用者が設定した設定温度と、室温センサ６２により検出される暖房温度との温度情報に基づいて浴室暖房制御装置２５からの閉閉信号により制御される。また、浴室暖房制御装置２５は、操作盤２６からの操作信号と室温センサ６２からの温度情報を入力して熱動弁６３を開閉制御する制御プログラムを有すると共に、操作盤２６からの操作信号のうち運転信号と、熱動弁６３を開閉制御する開閉信号とが温水制御装置２２に出力するようになっている。
【００４０】
次に、温水制御装置２２は、１次側温水回路３０に供給する貯湯槽１２内の湯、および２次側流体回路４０内を循環する２次側流体を制御する制御装置であって、制御装置２３・２５から暖房器５０・６０の運転信号、熱動弁５３・６３を開閉する開閉信号、貯湯槽１２最上部の水位サーミスタ、および水温サーミスタ３４・４１・４５からの温度情報に基づいて第１循環ポンプ３２および第２循環ポンプ４２を制御するように構成されている。
【００４１】
次に、本実施形態での特徴について説明する。比較的高温の流体を必要とする高温暖房器６０へは供給流路４３から高温流体を供給すると共に、供給流路４３から高温流体を分岐する高温流体供給路４３ａと、戻り流路４６から戻り流体を分岐する戻り流体供給路４６ａと、両供給路４３ａ、４６ａからの流体の混合割合を調節する混合弁４７と、混合弁４７で混合された流体を供給する低温流体供給路４８ａとを設け、比較的低温の流体を必要とする低温暖房器５０へはこの低温流体供給路４８ａから低温流体を供給している。
【００４２】
これにより、床暖房ユニット等の低温暖房器５０において立ち上がり等で高温流体が必要な時は、混合弁４７を高温流体供給路４３ａ側に全開とすることで、低温暖房器５０へも高温流体を供給することができる。
【００４３】
また、供給流路４３を流通する流体の温度を検知する高温側の水温サーミスタ４１と、戻り流路４６を流通する流体の温度を検知する戻り側の水温サーミスタ４５とを備え、温水制御装置２２は、両水温サーミスタ４１・４５で検知される温度から混合弁４７を調節し、低温流体供給路４８ａに供給する低温流体の温度を可変している。
【００４４】
これにより、供給流路４３での高温以下の温度の流体が必要な時は、高温流体供給路４３ａからの高温流体と、戻り流体供給路４６ａからの戻り流体とを混合し、適当な温度として低温暖房器５０に供給することができる。
【００４５】
（第２実施形態）
図２は、本発明の第２実施形態における給湯式暖房装置部分の構成を示す模式図である。上述した第１実施形態とは、混合弁４７の替わりに分岐弁４７ａ・４７ｂで構成した点のみ異なる。それ以外のものは、第１実施形態で説明した構成と同じである。
【００４６】
具体的には、比較的高温の流体を必要とする高温暖房器６０へは供給流路４３から高温流体を供給すると共に、供給流路４３から高温流体を分岐する高温側分岐弁４７ａと、戻り流路４６から戻り流体を分岐する戻り側分岐弁４７ｂと、両分岐弁４７ａ、４７ｂで分岐された流体を混合して供給する低温流体供給路４８ａとを設け、比較的低温の流体を必要とする低温暖房器５０へはこの低温流体供給路４８ａから低温流体を供給している。
【００４７】
これにより、低温暖房器５０において立ち上がり等で高温流体が必要な時は、高温側分岐弁４７ａを全開として戻り側分岐弁４７ｂを前閉とすることで、低温暖房器５０へも高温流体を供給することができる。
【００４８】
また、供給流路４３を流通する流体の温度を検知する高温側の水温サーミスタ４１と、戻り流路４６を流通する流体の温度を検知する戻り側の水温サーミスタ４５とを備え、温水制御装置２２は、両水温サーミスタ４１・４５で検知される温度から両分岐弁４７ａ・４７ｂを調節し、低温流体供給路４８ａに供給する低温流体の温度を可変している。
【００４９】
これにより、供給流路４３での高温以下の温度の流体が必要な時は、高温側分岐弁４７ａからの高温流体と、戻り側分岐弁４７ｂからの戻り流体とを混合し、適当な温度として低温暖房器５０に供給することができる。
【００５０】
（その他の実施形態）
上述の実施形態では、供給熱源を貯湯式給湯装置１０からとし、１次側流体は貯湯槽１２からの高温水、その貯湯槽１２に貯湯する熱源装置にはＣＯ２冷媒を用いて超臨界ヒートポンプサイクルを構成するヒートポンプ式給湯装置１１を用いているが、本発明はこれらに限らず、高温水で２次側流体を加熱するものであればフロン冷媒を用いてヒートポンプサイクルを構成する熱源装置を適用しても良いし、ガス・石油給湯器等の熱源装置を適用しても良い。
【００５１】
また、上述の実施形態での混合弁４７もしくは両分岐弁４７ａ・４７ｂは、単純に切替弁で構成して高温流体側と戻り流体側とに切り替えるようにしても良い。また、供給水路４３に一つの浴室暖房乾燥器６０と、低温水供給路４８ａに一つの床暖房ユニット５０とを接続しているが、それぞれ複数個並列に設けても良い。
【図面の簡単な説明】
【図１】本発明の第１実施形態における多機能給湯装置の全体構成を示す模式図である。
【図２】本発明の第２実施形態における給湯式暖房装置部分の構成を示す模式図である。
【図３】従来の給湯式暖房装置部分の構成を示す模式図である。
【符号の説明】
２２…温水制御装置（温水制御手段）
３０…１次側温水回路
３１…暖房用熱交換器（熱交換手段）
４０…２次側流体回路
４１…水温サーミスタ（高温側温度検知手段）
４３…供給流路
４３ａ…高温流体供給路
４５…水温サーミスタ（戻り側温度検知手段）
４６…戻り流路
４６ａ…戻り流体供給路
４７…混合弁
４７ａ…高温側分岐弁
４７ｂ…戻り側分岐弁
４８ａ…低温流体供給路
５０…床暖房ユニット（暖房器、低温暖房手段）
６０…浴室暖房乾燥器（暖房器、高温暖房手段）
【図１】
2004198055.tif 000003
【図２】
2004198055.tif 000004
【図３】
2004198055.tif 000005